(57)【要約】【課題】トラッキング発生にともなって回路機能を確実に停止させることができる点灯装置及び放電ランプを提供することを目的とする。【解決手段】  電球形蛍光ランプは、ケースの内部に、発光管１０を点灯させる点灯装置５０を収納している。この点灯装置５０は、整流平滑回路１００、フィルタ回路１１０、トランジスタＱ１，Ｑ２を有するインバータ回路１２０、共振回路１３０、正温度特性抵抗素子を有する予熱回路１４０等を備え、これら回路は絶縁基板に実装されている複数の電子部品から構成されている。整流平滑回路１００とインバータ回路１２０との間に、フィルタコイルＮＦとインバータ回路２１０の結合コンデンサＣ５，Ｃ８とを有するフィルタ回路１１０が接続され、フィルタコイルＮＦに電流ヒューズＰが直列に接続されている。【選択図】図２
2009283184.tif 000002
【特許請求の範囲】
【請求項１】
直流電源部からの直流出力をスイッチングにより高周波電力を生成して放電ランプに印加するインバータ回路を構成する電子部品が絶縁基板に実装されてなる放電ランプ用の点灯装置において、
前記直流電源部と前記インバータ回路とを接続する２本の接続路にインダクタと電流ヒューズとが設けられている
ことを特徴とする点灯装置。
【請求項２】
前記インダクタは、前記インバータ回路の入力側に接続されたコンデンサとでＬＣフィルタを構成している
ことを特徴とする請求項１に記載の点灯装置。
【請求項３】
前記インバータ回路は、直列に接続された一対のスイッチング素子と、直列に接続された一対の結合コンデンサとを並列に接続されてなり、前記一対のスイッチング素子の接続点と前記一対のコンデンサの接続点との間に前記放電ランプが接続されるタイプであり、
前記インダクタは、前記一対のコンデンサとでＬＣフィルタを構成している
ことを特徴とする請求項１に記載の点灯装置。
【請求項４】
前記直流電源部は、交流電源から供給された電力を整流する整流回路である
ことを特徴とする請求項１〜３のいずれか１項に記載の点灯装置。
【請求項５】
前記電流ヒューズは、０．５〜１．２Ａの電流で断線する保護素子である
ことを特徴とする請求項１〜４のいずれか１項に記載の点灯装置。
【請求項６】
内部に組み込まれた点灯装置により点灯する放電ランプにおいて、
前記点灯装置は、請求項１〜５のいずれか１項に記載の点灯装置である
ことを特徴とする放電ランプ。
【発明の詳細な説明】
【技術分野】
【０００１】
本発明は、放電ランプ用の点灯装置及び当該点灯装置が組み込まれた放電ランプに関する。
【背景技術】
【０００２】
近年の省エネルギ化に伴い、照明の分野においても、従来から用いられていた白熱電球に代えて、ランプ効率が高く、しかも長寿命な低圧水銀放電ランプ、例えば、電球形蛍光ランプが用いられてきている。
この電球形蛍光ランプ（以下、単に「ランプ」という。）は、発光管と、発光管を点灯させるための点灯装置と、発光管を保持すると共に内部に点灯装置を収納する樹脂製のケースなどから構成されている。ケースの一端には、照明器具側のソケットへのランプの取り付け及び商用電源からの電力を取り込むための口金が設けられている。
【０００３】
点灯装置は、所謂、インバータ方式のものであって、例えば、ダイオードブリッジ素子や平滑コンデンサを有する整流平滑回路と、一対のスイッチング素子を有するインバータ回路と、チョークコイルと共振用コンデンサを有する共振回路などから構成されている。各回路を構成している電子部品は、例えば、ガラス繊維とエポキシ樹脂とから構成された絶縁基板に実装されている。
【０００４】
上記の回路は、何らかの原因で、発光管の電極や電子部品（このうち、ランプ点灯時に発熱する部品を、単に、「発熱部品」という。）の一部が過度に温度上昇し、その熱によりケースが、変形したり、変色したり、さらには溶融したり等する不具合が発生する場合がある。
このような不具合を未然に防止するために、電子部品が異常発熱し始めると回路機能を停止するように構成されたものがある。例えば、特許文献１に記載の点灯装置では、回路内に電流ヒューズを設けて、この電流ヒューズに所定電流が流れて電気的に断線することにより点灯装置の機能を停止させている。
【特許文献１】特許第３５７１０９８号
【発明の開示】
【発明が解決しようとする課題】
【０００５】
しかしながら、上記の点灯装置では、発熱部品が過度に温度上昇した場合の対策はなされているが、発熱部品を実装している絶縁基板の実装部分で生じる不具合については、何ら対策されていないのである。
つまり、ランプの点灯累積時間が長時間になる（例えば、ランプの寿命が近づいてくる。）と、絶縁基板における発熱部品の実装部分の絶縁性能が低下し、この絶縁性が低下した部分にリーク電流が流れ（このような、絶縁性が低下しリーク電流が流れることを「トラッキング」といい、そのリーク電流を「トラッキング電流」ともいう。）、やがて前記部分が炭化してしまうことがある。このような不具合については上記対策では対応できないのである。なお、発熱部品が想定していない故障等により発熱することでも、絶縁基板における当該発熱部品を実施している部分で絶縁性が低下し、上記と同様の不具合が発生する。
【０００６】
本発明は、上記のような問題点を鑑みてなされたものであって、トラッキング発生にともなって回路機能を確実に停止させることができる点灯装置及び放電ランプを提供することを目的とする。
【課題を解決するための手段】
【０００７】
上記目的を達成するために、本発明に係る点灯装置は、直流電源部からの直流出力をスイッチングにより高周波電力を生成して放電ランプに印加するインバータ回路を構成する電子部品が絶縁基板に実装されてなる放電ランプ用の点灯装置において、前記直流電源部と前記インバータ回路とを接続する２本の接続路にインダクタと電流ヒューズとが設けられていることを特徴としている。
【０００８】
ここでいう「２本の接続路にインダクタと電流ヒューズとが設けられている」とは、一本の接続路にインダクタと電流ヒューズが接続されている場合、一方の接続路にインダクタが接続され、他方の接続路に電流ヒューズが接続されている場合を含んでいる。
また、「絶縁基板」は、例えば、ガラス繊維とエポキシ樹脂とから構成されるもの、紙材料とフェノール樹脂とから構成されるもの等であり、主成分に有機材料が用いられて基板をいう。
【０００９】
また、「放電ランプ」は、点灯装置と放電ランプとが別体（分離して個別に利用できる。）のもの（つまり、点灯装置が組み込まれていないもの）、あるいは、当該放電ランプを点灯させる点灯装置が組み込まれたものを含んだ概念である。
【発明の効果】
【００１０】
本発明に係る点灯装置は、直流電源部とインバータ回路とを接続する接続路にインダクタを備えるため、インバータ回路内で発生する高周波成分が当該回路から上流側（直流電源部側）への浸入を防ぐことができ、電流ヒューズに流れる電流値の変動を抑えることができる。このため、電流ヒューズが断線する定格値を低く抑えることができ、トラッキングによって、電流ヒューズに流れる電流の増大により、早期に電流ヒューズが電気的に断線し、インバータ回路への給電を停止させることができる。
【００１１】
また、前記インダクタは、前記インバータ回路の入力側に接続されたコンデンサとでＬＣフィルタを構成していることを特徴とし、或いは、前記インバータ回路は、直列に接続された一対のスイッチング素子と、直列に接続された一対の結合コンデンサとを並列に接続されてなり、前記一対のスイッチング素子の接続点と前記一対のコンデンサの接続点との間に前記放電ランプが接続されるタイプであり、前記インダクタは、前記一対のコンデンサとでＬＣフィルタを構成していることを特徴としている。このため、装置自体の小型化を図ることができる。
【００１２】
さらに、前記直流電源部は、交流電源から供給された電力を整流する整流回路であることを特徴とし、或いは、前記電流ヒューズは、０．５〜１．２Ａの電流で断線する保護素子であることを特徴としている。
内部に組み込まれた点灯装置により点灯する放電ランプにおいて、前記点灯装置は、上記構成を有する点灯装置であることを特徴としている。このため、上述のように、電流ヒューズが断線する定格値を下げることができ、トラッキングによって、電流ヒューズに流れる電流の増大により、早期に電流ヒューズが電気的に断線し、インバータ回路への給電を停止させることができる。
【発明を実施するための最良の形態】
【００１３】
＜第１の実施の形態＞
１．ランプの全体構成
図１は、実施の形態におけるランプ１を側面より見た断面図であり、内部の様子が分かるように一部を切り欠いている。この図に示すランプ１は、６０Ｗタイプの白熱電球の代替用である１２Ｗタイプであり、内部に点灯装置を備える対応である。
【００１４】
図１に示すように、ランプ１は、放電路が二重螺旋状に形成された発光管１０と、この発光管１０を保持するためのホルダー２０と、発光管１０を点灯駆動するための点灯装置５０と、一端に口金４０が取り付けられ、ホルダー２０及び点灯装置５０を覆うように設けられたケース３０とから構成されている。
発光管１０は、一本のガラス管（例えば、外径：９．０（ｍｍ）である。）を、その略中央部で折り返し、この折り返した部分から端部までを折り返した部分を通る旋回軸周りに旋回して形成されたものを用いている。
【００１５】
発光管１０の内部（放電路）における両端部分、つまり、ガラス管の端部には、フィラメント電極を有する電極（不図示）が各々設けられている。このとき、放電路内における電極と電極との距離（放電路長）は、例えば、４００（ｍｍ）に設定されている。そして、発光管１０の内面には、蛍光体層が形成され、放電路内には、水銀及びＡｒ・Ｎｅ等の混合ガスが封入されている。
【００１６】
ホルダー２０は、ＰＥＴ（ポリエチレンテレフタレート）などの樹脂材料から構成されており、発光管１０における電極形成部分の近傍領域の形状に合わせた挿入孔（不図示）を有している。発光管１０は、ホルダー２０における挿入孔に電極形成部分が挿入され、シリコーン樹脂などの材料からなる樹脂材２１によりホルダー２０内で固定されている。
ケース３０は、例えば、ＰＢＴ（ポリブチレンテレフタレート）からなり、小径部３０ａと、小径部３０ａより径が大きい大径部３０ｂと、小径部３０ａと大径部３０ｂとの間であって小径部３０ａから大径部３０ｂへと拡径するテーパ部３０ｃとを備え、漏斗状をしている。
【００１７】
ケース３０の大径部３０ｂの内周面にはホルダー２０が、そして、小径部３０ａの外周面には口金４０がそれぞれ取着されている。なお、ここでは、ホルダー２０の外周がケース３０の大径部３０ｂに被着されているが、例えば、ケースとホルダーとが一体になったものでも良い。つまり、ケースは、発光管を保持すると共に小径部に口金が被着され、内部に点灯装置を収納するものであれば良い。
【００１８】
口金４０は、例えば、金属筒の周壁がネジ状に形成されたものであり、ここでは、Ｅ１７タイプが用いられている。口金４０は、Ｅ１７タイプに限定するものではなく、例えば、Ｅ２６タイプでも良いし、さらには、Ｂ形でも良い。
点灯装置５０は、主面に所定のパターンが配線された絶縁基板５１に複数の電子部品が実装されることによって構成されている。なお、点灯装置５０は、図１に示すように、絶縁基板５１の周縁がホルダー２０の係止部３１，３２により係止されて、ケース３０の内部に組み込まれる。
２．ランプの回路構成について
図２は、点灯装置５０を含むランプ１の回路構成を説明する。
【００１９】
点灯装置５０は、主に、整流平滑回路１００、フィルタ回路１１０、インバータ回路１２０、共振回路１３０及び予熱回路１４０を有し、前記整流平滑回路１００とフィルタ回路１１０との間に電流ヒューズＰを備えている。
整流平滑回路１００は、商用低周波交流を整流、平滑して直流に変換して出力するもの（本発明の「直流電源部」に相当する。）であって、例えば、４個のダイオードＤ１，Ｄ２，Ｄ３，Ｄ４からなるダイオードブリッジ１０３及び電解コンデンサＣＤ１，ＣＤ２から構成されている。なお、ここでは、倍電圧方式を採用しているため、整流平滑回路１００の出力電圧は、入力電圧（実効値）の約２．８倍となる。例えば、商用電源の電圧（実効値）が１００（Ｖ）であれば、整流平滑回路１００の出力電圧は約２８０（Ｖ）となる。
【００２０】
点灯装置５０は、口金４０を介して商用電源に接続され、また、口金４０と整流平滑回路１００との間、つまり、整流平滑回路１００の入力側に突入電流防止抵抗Ｒ１が接続されている。
インバータ回路１２０は、１対のスイッチング素子（例えば、トランジスタである。）Ｑ１，Ｑ２と、２個の結合コンデンサＣ５，Ｃ８とで構成される、所謂ハーフブリッジタイプである。
【００２１】
つまり、このインバータ回路１２０は、直列に接続された一対のトランジスタＱ１，Ｑ２と、直列に接続された一対の結合コンデンサＣ５，Ｃ８とを並列に備え、一対のトランジスタＱ１，Ｑ２の接続点ｎ２と一対の結合コンデンサＣ５，Ｃ８の接続点ｎ１との間に発光管１０等が接続される。
結合コンデンサＣ５，Ｃ８には、例えば、静電容量４７（ｎＦ）、定格電圧２５０（Ｖ）のものが利用されている。
【００２２】
インバータ回路１２０は、トランジスタＱ１，Ｑ２が交互にオン・オフを繰り返す（以下、「スイッチングする」ともいう。）ことにより、接続ノードｎ１と接続ノードｎ２との間に接続された負荷（共振回路１３０、予熱回路１４０及び発光管１０）に高周波（例えば、５０ｋＨｚ）の電圧を供給する。
トランジスタＱ１，Ｑ２のスイッチング動作は、電流変成器ＣＴにより行われる。電流変成器ＣＴは、１個の一次コイルと２個の二次コイルとを有する。二次コイルは、一次コイルに流れた負荷電流の大きさ及び向きに応じた電圧をそれぞれ誘起し、各トランジスタＱ１，Ｑ２のベースに接続されている。
【００２３】
この構成によれば、トランジスタＱ１がオンのときに流れた負荷電流によって二次コイルに電圧が誘起され、トランジスタＱ１がオフになるとともにトランジスタＱ２がオンになる。一方、トランジスタＱ２がオンのときに流れた負荷電流によって二次コイルに電圧が誘起され、トランジスタＱ２がオフとなるとともにトランジスタＱ１がオンとなる。なお、トランジスタＱ１，Ｑ２には、例えば、定格電流１(Ａ)、定格電圧４００（Ｖ）のものが利用されている。
【００２４】
上記のスイッチング動作の開始は、抵抗Ｒ４Ａ，Ｒ４Ｂ，Ｒ２Ａ，Ｒ２Ｂ、起動用コンデンサＣ３及びトリガダイオードＴＤで構成される起動回路によって行われる。
この起動回路は、抵抗Ｒ４Ａ，Ｒ４Ｂ，Ｒ２Ａ，Ｒ２Ｂ及び起動用コンデンサＣ３が直列接続されており、抵抗Ｒ２Ｂと起動用コンデンサＣ３との接続ノードｎ３がトリガダイオードＴＤを介してトランジスタＱ２のベースに接続されている。なお、起動用コンデンサＣ３には、例えば、定格静電容量３３（ｎＦ)、定格電圧５０（Ｖ）のものが利用されている。
【００２５】
上記スイッチング動作が開始すれば、トランジスタＱ１，Ｑ２は電流変成器ＣＴの出力電圧により交互にオン・オフを繰り返す。このスイッチングのターンオフには、スイッチング素子特有の所定の時間を必要とし、また、その直前に流れていた電流はチョークコイルＬ（インダクタンス）にも流れて電圧と電流のスイッチングの時間が若干ずれる。これにより、トランジスタＱ１，Ｑ２での損失が大幅に増大するため、このようなスイッチング損失を抑制してトランジスタＱ１，Ｑ２を保護するために抵抗Ｒ６を介してスナバコンデンサＣ４が設けられている。
【００２６】
スナバコンデンサＣ４には例えば静電容量１（ｎＦ）、定格電圧１．２（ｋＶ）のものが利用され、また、スナバコンデンサＣ４に接続する抵抗Ｒ６には例えば定格抵抗値３３（Ω）のものが利用されている。
また、トランジスタＱ１，Ｑ２には、当該トランジスタＱ１，Ｑ２のスイッチング動作時に発生するエミッタからコレクタへの電流を流すための転流用ダイオードＤ５，Ｄ６がトタンジスタＱ１，Ｑ２に対して並列に接続されている。
【００２７】
なお、転流用ダイオードＤ５は、上記起動回路を構成している起動用コンデンサＣ３に直列に接続されており、トランジスタＱ２のエミッタからコレクタに向かう電流は、起動用コンデンサＣ３から転流用ダイオードＤ５へと流れる。
転流用ダイオードＤ６には、例えば、定格電流１（Ａ）、定格電圧６００（Ｖ）のものが利用され、また、転流用ダイオードＤ５には、例えば、定格電流１（Ａ）、定格電圧６００（Ｖ）のものが、起動用コンデンサＣ３には例えば、定格静電容量３３（ｎＦ)、定格電圧５０（Ｖ）のものが利用されている。
【００２８】
フィルタ回路（本発明の「ＬＣフィルタ」に相当する。）１１０は、例えば、ＥＭＣ（electro-magnetic compatibility）用であり、フィルタコイルＮＦと、上述のインバータ回路１２０を構成している電子部品として共有して用いられている結合コンデンサＣ５，Ｃ８とで構成される、いわゆるＬＣフィルタである。
このフィルタ回路１１０は、上記トランジスタＱ１，Ｑ２からのスイッチングノイズを除去する共に、スイッチングノイズが商用電源側に流出することを防止する機能を有する。フィルタコイルＮＦには、例えば、定格インダクタンス８２０（μＨ）のものが利用されている。
【００２９】
電流ヒューズＰは、フィルタ回路１１０を構成しているフィルタコイル（本発明の「インダクタ」に相当する。）ＮＦと整流平滑回路１００との間に直列に接続されている。つまり、電流ヒューズＰとフィルタコイルＮＦとは整流平滑回路１００とインバータ回路１２０とを接続する接続路Ｘに挿設され、また、結合コンデンサＣ５，Ｃ８は、接続路Ｘ，Ｙに跨って接続されている。なお、電流ヒューズＰには、例えば、定格電流０．５（Ａ）のものが利用されている。
【００３０】
共振回路１３０は、チョークコイルＬと共振用コンデンサＣ６とが直列接続されて構成されている。共振回路１３０は、フィラメント電極に予熱電流を流すとともに、当該フィラメント電極間の電圧を増大させる機能を有する。
予熱回路１４０は、共振用コンデンサＣ６と正温度特性抵抗素子ＰＴＣから構成されている。予熱回路１４０は当該フィラメント電極間に並列に接続され、フィラメント電極への予熱電流を最適な値に調整する。
【００３１】
なお、各回路、あるいは各回路を接続する箇所には、電流調整用等の抵抗（例えば、Ｒ５〜Ｒ９等）が適宜挿設されている。
３．動作説明
ランプ１の通常の点灯動作について、図２を用いて簡単に説明する。
商用電源から口金４０を介して点灯装置５０に供給された交流電力は、整流平滑回路１００において一旦直流電力に変換され、インバータ回路１２０に出力される。これにより、起動用コンデンサＣ３の端子間電圧が一定の時定数で上昇する。時定数は、抵抗Ｒ２Ａ，Ｒ２Ｂ、Ｒ４Ａ，Ｒ４Ｂ、Ｒ３の抵抗値及び起動用コンデンサＣ３の静電容量により決まる。
【００３２】
起動用コンデンサＣ３の端子間電圧がトリガダイオードＴＤのブレークオーバ電圧を超えたときに、トランジスタＱ２のベースに起動用コンデンサＣ３の端子間電圧が印加され、トランジスタＱ２がオンになる。これによりスイッチング動作が開始される。
その後、共振回路１３０、予熱回路１４０及び発光管１０に高周波の電圧が供給され、正温度特性抵抗素子ＰＴＣに電流が流れ、当該正温度特性抵抗素子ＰＴＣの温度上昇と共に、共振回路１３０の共振周波数が下がり、電極間に高電圧が印加される。これにより、発光管１０内の電極間で絶縁破壊を起して両電極間に電流が流れ、ランプ１が点灯する。
【００３３】
次に、上記構成のランプ１において発光管１０の寿命末期になり、絶縁基板５１の絶縁性が低下し、絶縁基板５１における発熱部品の実装部分にリーク電流が流れた場合の動作について説明する。
絶縁基板５１にリーク電流が、例えば、図２のａ−ｂ間で流れると、整流平滑回路１００から出力される電力が増大し、インバータ回路１２０に入力する入力電力が増大する。その際、インバータ回路１２０には、電流ヒューズＰ、フィルタ回路１１０を介して入力電力が供給されるため、電流ヒューズＰには、通常点灯時よりも高い電流が流れる。
【００３４】
そして、絶縁基板５１に流れるリーク電流の増加にしたがって、絶縁基板５１の絶縁性が一層低下し、これにより、絶縁基板５１のリーク電流が増大し、電流ヒューズＰに流れる電流量も増大する。
電流ヒューズＰの電流量が所定値以上になると、電流ヒューズＰが電気的に断線（溶断）し、インバータ回路１２０への給電が停止する。
【００３５】
これにより、装置自体の機能を停止し、絶縁基板５１にリーク電流が流れなくなり、絶縁基板５１の絶縁性が低下して、絶縁基板５１の実装部分が炭化してしまうようなことを未然に防ぐことができる。
また、電流ヒューズＰには、ランプ１を始動させるときと、ランプ１を定常点灯させているときより大きい電流値が流れるが、直流電源回路１００と、インバータ回路１２０との間にはフィルタ回路１１０が介在しスイッチングによる高周波電流重畳をカットしているので、フィルタ回路１１０がない場合に比べて、電流ヒューズＰに流れる電流値を少なくすることができる。
【００３６】
このため、電流ヒューズＰの定格値を低く設定することが可能で、絶縁基板５１のトラッキングによる電流が０．５（Ａ）から１．２（Ａ）程度の小さな値であっても、トラッキングによる電流変動を直ちに検知し、電流ヒューズＰが断線することとなり、ランプ１の安全性を高めることできる。
このように、電流ヒューズＰをインバータ回路１２０の上流側（整流平滑回路１００）側に配されたフィルタ回路１１０に直列に接続しているため、電流ヒューズＰに流れる電流値を小さくすることができ、電流ヒューズの定格値（断線する際の電流値）を、トラッキング等の異常が発生していない状態でのランプ点灯時に当該電流ヒューズに流れる電流値に近づけたものを使用できる。
＜変形例＞
以上、本発明を実施の形態に基づいて説明したが、本発明の内容が、上記の実施の形態に示された具体例に限定されないことは勿論であり、例えば、以下のような変形例を実施することができる。
【００３７】
１．ランプについて
（１）ランプ全体
上記実施の形態においては、１２Ｗタイプの電球形蛍光ランプ１を一例として説明したが、ランプのタイプ、サイズ等についてもこれに限定を受けるものではない。
また、上記の実施の形態では、発光管を構成するガラス管の端部にフィラメントを有する電極が封止された有電極型のランプについて説明したが、例えば、誘導磁界を利用した、いわゆる、無電極型のランプについても適用できる。
【００３８】
また、一般照明器具用のインバータ回路を有する点灯装置にも適用できる。この場合は、例えば、実施の形態で説明した「発光管」に口金が取着されたものが放電ランプに相当し、照明器具のソケットに前記放電ランプが取り付けられる。
（２）発光管の形状
実施の形態では、発光管の形状が２重螺旋状をしているが、当然、他の形状であっても良い。他の形状の例としては、例えば、１本のガラス管を湾曲させたＵ字状、そして前記Ｕ字状のガラス管をさらに屈曲させた、いわゆる、「くら形」にした形状、また、Ｕ字状に湾曲させたガラス管を複数本、例えば、２本、３本結合させた形状であっても良い。
（３）グローブの有無
さらに、実施の形態では、発光管を覆うグローブなし、所謂、Ｄ型についての電球形蛍光ランプについて説明したが、例えば、Ａ形、Ｔ形、Ｇ形、Ｒ形（レフ形）のグローブを備える電球形蛍光ランプであっても良い。
２．点灯装置
（１）直流電源部
実施の形態では、交流電源を整流平滑して直流電源を出力する整流平滑回路を直流電源部としたが、例えば、内部に直流電源部を直接備えるような構成であっても良い。
（２）インバータ回路
第１の実施の形態での点灯装置５０は、そのインバータ回路１２０にハーフブリッジタイプのものを使用したが、他のタイプのものを使用しても良い。
【００３９】
図３は、変形例１に係る点灯装置を示す図である。
変形例１に係る点灯装置２００は、整流平滑回路２１０、フィルタ回路２２０、インバータ回路２３０、共振回路１３０及び予熱回路１４０を有し、前記整流平滑回路２１０とフィルタ回路２２０との間に電流ヒューズ２Ｐを備えている。
整流平滑回路２１０は、１つの電解コンデンサ２ＣＤ１を利用したものであり、インバータ回路２３０は、所謂、シリーズインバータ方式であり、一対のトランジスタ２Ｑ１，２Ｑ２と、結合コンデンサ２Ｃ５等を備える。
【００４０】
なお、インバータ回路２３０は、実施の形態と同様に、起動回路（抵抗Ｒ２，４やコンデンサＣ３等）によりトランジスタ２Ｑ２がオンし、電流変成器２ＣＴにより、トランジスタＱ１，２Ｑ２が交互にオン・オフを繰り返す。
フィルタ回路２２０は、フィルタコイル２ＮＦと、インバータ回路２３０の入力側に接続された雑防コンデンサ２Ｃ１とで構成される。つまり、雑防コンデンサ２Ｃ１は、整流平滑回路２１０とインバータ回路２３０とを接続する接続路Ｘ，Ｙに跨って接続されており、フィルタコイル２ＮＦとでＥＭＣ用のＬＣフィルタを構成する。そして、このフィルタコイル２ＮＦに電流ヒューズ２Ｐが直列に接続している。
【００４１】
上記構成の点灯装置においても、絶縁基板の絶縁性が低下してトラッキング電流が流れ、電流ヒューズＰの電流量が所定値以上になると、実施の形態と同様に、電流ヒューズＰが電気的に断線し、インバータ回路２３０への給電を停止させることができる。
また、本変形例では、シリーズインバータタイプの回路を用いたが、他のインバータ回路でも良い。他の種類のインバータ回路としては、例えば、１石インバータ、Ｌ−プッシュプルインバータ、高調波対策機能付きインバータ、フルブリッジインバータ、チョッパなどがある。
（３）その他
実施の形態及び変形例１では、スイッチング素子にトタンジスタを利用したが、他の素子を利用することもできる。他の素子としては、ＦＥＴ素子があり、この場合、実施の形態における転流用ダイオードＤ５、Ｄ６を設ける必要性はなくなる。
３．電流ヒューズとフィルタとの位置関係について
実施の形態の形態では、電流ヒューズを、直流電源部の高圧側（接続路Ｘ）でフィルタ回路のインダクタに隣接する状態で直列接続していたが、この電流ヒューズは、インダクタと離れた状態（隣接していない状態）であっても、インダクタに対して直列に接続されていれば良く、例えば、電流ヒューズを直流電源部の高圧側（接続路Ｘ）に、インダクタを直流電源部の低圧側（接続路Ｙ）にそれぞれ接続していても良い。
４．電流ヒューズ、インダクタ
実施の形態では、電流ヒューズとして定格電流０．５（Ａ）の保護素子を使用したが、他の仕様の電流ヒューズでも良い。但し、トラッキング電流により断線する必要がある。絶縁基板に不具合が生じるのは、トラッキング電流が１（Ａ）以上であることを考慮すると、電流ヒューズとして、約１（Ａ）程度で破断するものが好ましい。
【００４２】
また、通常点灯時にも当然電流ヒューズに電流が流れるため、この通常点灯時の電流（２５Ｗ全波整流時の場合２００（ｍＡ）程度）で断線しないようにする必要がある。
したがって、以上のことから、電流ヒューズとしては、定格電流が０．２（Ａ）〜１．２（Ａ）の範囲のものが好ましい。
また、インダクタ（フィルタコイルＮＦ）として、例えば、定格インダクタンス８２０（μＨ）のものを使用したが、他の仕様のインダクタでも良い。但し、点灯周波数（ランプの効率とインバータ回路のスイッチングとの関係や一般のリモコン等の関係から、４０（ｋＨｚ）〜８０（ｋＨｚ）が一般的である。）の関係で、インダクタ値が４７０（μＨ）以上でないと、高周波電流が増加してしまい、また、インダクタの全体の大きさ・形状を考慮すると、１５００（μＨ）以下が好ましい。
【産業上の利用可能性】
【００４３】
本発明は、トラッキング対策機能を有する点灯装置及び放電ランプに利用できる。
【図面の簡単な説明】
【００４４】
【図１】本発明の実施の形態におけるランプを側面より見た一部断面図である。
【図２】実施の形態に係る点灯装置を含むランプの回路構成図である。
【図３】変形例に係る点灯装置を含むランプの回路構成図である。
【符号の説明】
【００４５】
１          ランプ
５０        点灯装置
５１        絶縁基板
１００        整流平滑回路
１１０        フィルタ回路
１２０        インバータ回路
Ｐ        電流ヒューズ
ＮＦ        コイルフィルタ
Ｃ５，Ｃ８        結合コンデンサ
Ｑ１，Ｑ２        トランジスタ
【図１】
2009283184.tif 000003
【図２】
2009283184.tif 000004
【図３】
2009283184.tif 000005